(57)【要約】【課題】中庭と居室との一体感を高めて十分な開放感を得ることが可能な住宅を提供する。【解決手段】一階部分に位置する居室（１１）と、居室（１１）に隣接する中庭（１３）と、中庭（１３）と居室（１１）との間に中間デッキ（１６）を有する住宅であって、居室（１１）において基準となる床面高さである基準床レベル領域と、基準床レベル領域とは異なる床面高さである第１床レベル領域（１９）とを有し、中間デッキ（１６）は基準床レベル領域と同じ高さで形成されており、中庭（１３）の地表面は中間デッキ（１６）よりも低い住宅。【選択図】図１
2020117941.tif 000002
【特許請求の範囲】
【請求項１】
一階部分に位置する居室と、前記居室に隣接する中庭と、前記中庭と前記居室との間に中間デッキを有する住宅であって、
前記居室において基準となる床面高さである基準床レベル領域と、前記基準床レベル領域とは異なる床面高さである第１床レベル領域とを有し、
前記中間デッキは前記基準床レベル領域と同じ高さで形成されており、前記中庭の地表面は前記中間デッキよりも低いことを特徴とする住宅。
【請求項２】
請求項１に記載の住宅であって、
前記中庭には、前記中間デッキから分離した島状デッキが設けられており、
前記島状デッキの表面は前記地表面よりも高いことを特徴とする住宅。
【請求項３】
請求項１または２に記載の住宅であって、
前記第１床レベル領域は、前記基準床レベル領域よりも高く、
前記基準床レベル領域よりも低い床面高さの第２床レベル領域をさらに有することを特徴とする住宅。
【請求項４】
請求項３に記載の住宅であって、
前記基準床レベル領域、前記第１床レベル領域および前記第２床レベル領域が、連続した空間を形成していることを特徴とする住宅。
【請求項５】
請求項３または４に記載の住宅であって、
前記第２床レベル領域は、前記地表面より低いことを特徴とする住宅。
【請求項６】
請求項５に記載の住宅であって、
前記第２床レベル領域に設けられた窓から上空を視認可能であることを特徴とする住宅。
【発明の詳細な説明】
【技術分野】
【０００１】
本発明は、住宅に関し、特に中庭とデッキを備える住宅に関する。
【背景技術】
【０００２】
住宅の居室での居心地を改善するために、様々な間取りのものが提案されている。例えば、敷地内の空間を有効に利用するために中庭を備えて、開放感を得る間取りが提案されている。また、中庭と居室の間にデッキを設けることや、建屋内に中間高さの床レベルをステップフロアとして備えるものも提案されている。
【０００３】
また、１階と２階の中間の高さに中庭を設けて、各階の居室から中庭を鑑賞することや、中庭を介して各階の居室への採光や通風を実現するものが提案されている（例えば、引用文献１を参照）。
【先行技術文献】
【特許文献】
【０００４】
【特許文献１】特開２０１３−１１２９９５号公報
【発明の概要】
【発明が解決しようとする課題】
【０００５】
しかし、従来から提案されている間取りでは、中庭は中庭としての利用に留まり、住宅全体としての一体感や開放感を十分に得ることは困難であった。
【０００６】
そこで本発明は、上記従来の問題点に鑑みなされたものであり、中庭と居室との一体感を高めて十分な開放感を得ることが可能な住宅を提供することを目的とする。
【課題を解決するための手段】
【０００７】
上記課題を解決するために、本発明の住宅は、一階部分に位置する居室と、前記居室に隣接する中庭と、前記中庭と前記居室との間に中間デッキを有する住宅であって、前記居室において基準となる床面高さである基準床レベル領域と、前記基準床レベル領域とは異なる床面高さである第１床レベル領域とを有し、前記中間デッキは前記基準床レベル領域と同じ高さで形成されており、前記中庭の地表面は前記中間デッキよりも低いことを特徴とする。
【０００８】
このような本発明の住宅では、第１床レベル領域と基準床レベル領域で段差が生じ、中間デッキと地表面で段差が生じており、かつ基準床レベル領域と中間デッキとが同じ高さで連続しているために、居室内での段差と中庭での段差に連続性が生じ、中庭と居室との一体感を高めて十分な開放感を得ることが可能となる。
【０００９】
また本発明の一態様では、前記中庭には、前記中間デッキから分離した島状デッキが設けられており、前記島状デッキの表面は前記地表面よりも高い。
【００１０】
また本発明の一態様では、前記第１床レベル領域は、前記基準床レベル領域よりも高く、前記基準床レベル領域よりも低い床面高さの第２床レベル領域をさらに有する。
【００１１】
また本発明の一態様では、前記基準床レベル領域、前記第１床レベル領域および前記第２床レベル領域が、連続した空間を形成している。
【００１２】
また本発明の一態様では、前記第２床レベル領域は、前記地表面より低い。
【００１３】
また本発明の一態様では、前記第２床レベル領域に設けられた窓から上空を視認可能である。
【発明の効果】
【００１４】
本発明では、中庭と居室との一体感を高めて十分な開放感を得ることが可能な住宅を提供することができる。
【図面の簡単な説明】
【００１５】
【図１】第１実施形態における住宅の一階部分を模式的に示す平面図である。
【図２】第１実施形態における住宅の二階部分を模式的に示す平面図である。
【図３】第１実施形態において居室１１から第２窓部１４ｂを介して第２中庭１３を視認した様子を模式的に示す図である。
【図４】第２中庭１３における中間デッキ１６と島状デッキ１７の配置例を模式的に示す図である。
【図５】第２実施形態においてピットリビング１９から第３窓部１９ａを介して第１中庭１２を視認した様子を模式的に示す図である。
【発明を実施するための形態】
【００１６】
（第１実施形態）
以下、本発明の実施の形態について、図面を参照して詳細に説明する。各図面に示される同一または同等の構成要素、部材、処理には、同一の符号を付すものとし、適宜重複した説明は省略する。図１は、本実施形態における住宅の一階部分を模式的に示す平面図である。図２は、本実施形態における住宅の二階部分を模式的に示す平面図である。
【００１７】
図１に示すように、本実施形態の住宅は一階に居室１１と、第１中庭１２と、第２中庭１３と、第１窓部１４ａと、第２窓部１４ｂと、第１壁部１５ａと、第２壁部１５ｂを備えている。また、第２中庭１３と居室１１との間には中間デッキ１６が設けられ、中間デッキ１６と分離した島状デッキ１７が第２中庭１３内に設けられている。中間デッキ１６と島状デッキ１７の間には、第２中庭１３の地表面１８が部分的に露出している。
【００１８】
また、居室１１内の一部にはピットリビング１９とステージリビング２０が設けられており、ステージリビング２０内には２階にまで階段２１が設けられている。また、ピットリビング１９の入り口にはステップ２２が設けられており、ステージリビング２０の両側にはステップ２３ａ，２３ｂが設けられている。また、ピットリビング１９と第１中庭１２の間には、第３窓部１９ａが設けられている。
【００１９】
図２に示すように本実施形態の住宅は二階に二階居室２４を備えている。二階居室２４は、住宅の二階部分において住宅を構成する壁面で区切られた空間であり、その窓からは第１中庭１２と第２中庭１３を鑑賞可能となっている。
【００２０】
居室１１は、住宅の一階部分において住宅を構成する壁面で区切られた空間であり、その一部に第１窓部１４ａと第２窓部１４ｂが設けられている。居室１１の床は大部分が通常の一階床レベルの高さである基準床レベル領域となっている。第１窓部１４ａと第２窓部１４ｂは、居室１１を挟んで対向する位置に設けられている。図１では、居室１１がリビングルームの例を示しているが、ダイニングルームやキッチン、書斎等の人が居住する空間であれば用途は限定されない。また、第１窓部１４ａと第２窓部１４ｂは必ずしも一対で対向して設ける必要はない。
【００２１】
第１中庭１２および第２中庭１３は、住宅の敷地内において外気に解放された空間である。第１中庭１２は第１窓部１４ａと第１壁部１５ａに挟まれた位置に設けられており、第２中庭１３は第２窓部１４ｂと第２壁部１５ｂに挟まれた位置に設けられている。第１中庭１２および第２中庭１３では、地表面１８は建造物で覆われず植栽が設けられて小規模な庭園を形成している。ここでは第１中庭１２および第２中庭１３として地表面１８が露出した庭園の例を示したが、ウッドデッキやインターロッキング等で地表を覆う形式の中庭であってもよい。
【００２２】
第１窓部１４ａは、居室１１の壁面の一部に設けられて第１中庭１２に面する窓であり、居室１１内から第１中庭１２を視認可能に仕切っている。第２窓部１４ｂは、居室１１の壁面の一部に設けられて第２中庭１３に面する窓であり、居室１１内から第２中庭１３を視認可能に仕切っている。第１窓部１４ａおよび第２窓部１４ｂの具体的構造は限定されないが、第１中庭１２や第２中庭１３との空間の連続性や一体感を高めるためには掃出し窓が好ましい。
【００２３】
第１壁部１５ａは、住宅の外壁の一部が延長された壁であり、第１中庭１２を挟んで第１窓部１４ａに対向して設けられている。図に示すように第１壁部１５ａは、敷地外と第１中庭１２とを仕切り、敷地外から第１中庭１２および居室１１を視認できないように目隠ししている。
【００２４】
第２壁部１５ｂは、住宅の外壁の一部が延長された壁であり、第２中庭１３を挟んで第２窓部１４ｂに対向して設けられている。図１に示すように第２壁部１５ｂは、敷地外と第２中庭１３とを仕切り、敷地外から第２中庭１３および居室１１を視認できないように目隠ししている。また、図１に示した例では、第１壁部１５ａおよび第２壁部１５ｂとして住宅の外壁を延長した構造例を示したが、住宅の外壁とは独立して設けられた壁であってもよい。
【００２５】
中間デッキ１６は、居室１１と第２中庭１３との間に配置されたデッキである。中間デッキ１６の高さは居室１１の基準床レベル領域と同じであり、かつ第２窓部１４ｂを介して基準床レベル領域と連続して一体の平面を構成している。中間デッキ１６の構造や材質は限定されないが、居室１１において第２窓部１４ｂに隣接する床面と同様の仕上げを用いることで、居室１１内と第２中庭１３との空間の連続性が高まるため好ましい。中間デッキ１６は、居室１１と第２中庭１３の間において少なくとも一部に設けられていればよいが、図１に示したように第２中庭１３の周囲を囲むように中間デッキ１６を設けると、第２中庭１３と居室１１との境界が曖昧になり、居室１１と第２中庭１３との空間の連続性をさらに高めることができる。
【００２６】
島状デッキ１７は、中間デッキ１６とは分離して形成されたデッキであり、第２中庭１３内の地表面１８で囲まれて島状に配置されている。島状デッキ１７の構造や材質は限定されないが、中間デッキ１６と同様の構造と材質を用いることが好ましい。島状デッキ１７上には屋外用の椅子や机等を配置して、第２中庭１３中にアウトドアダイニングを構成している。また、島状デッキ１７は中間デッキ１６と同等の高さに形成するとしてもよく、中間デッキ１６よりも高く形成するとしてもよい。島状デッキ１７の高さを地表面１８より高くすることで、地表面１８に浮いた島のような空間を演出することができる。
【００２７】
地表面１８は、第２中庭１３で露出した地面であり、中間デッキ１６および島状デッキ１７よりも表面が低くなるように整地されている。第２中庭１３のうち地表面１８が露出した領域には、植栽等が設けられており庭園を構成している。
【００２８】
ピットリビング１９は、居室１１内において床の高さが基準床レベル領域よりも低く形成されている領域であり、本発明における第２床レベル領域に相当している。ピットリビング１９の床レベルとしては、第１中庭１２および第２中庭１３の地表面１８よりも低い位置が好ましい。ピットリビング１９と基準床レベル領域との床レベルの高さの差は限定されないが、２０〜４０ｃｍ程度の段差が生じることが好ましい。また、ピットリビング１９の天井高さは居室１１の他の領域と同一高さであり、ピットリビング１９内における床面から天井面までの距離は３００〜３２０ｃｍ程度となっている。
【００２９】
第３窓部１９ａは、ピットリビング１９の壁面の一部に設けられて第１中庭１２に面する窓であり、ピットリビング１９内から第１中庭１２を視認可能に仕切っている。第３窓部１９ａの、具体的構造は限定されないが、第１中庭１２との空間の連続性や一体感を高めるためには、第２窓部１４ｂや第３窓部１９ａと同程度の高さで設けることが好ましい。したがって、第３窓部１９ａの下端は居室１１の基準床レベル領域における床レベルと同程度であり、ピットリビング１９の床面から第３窓部１９ａの下端までは、基準床レベル領域と第２床レベル領域との高低差に相当している。
【００３０】
ステージリビング２０は、居室１１内において床の高さが基準床レベル領域よりも高く形成されている領域であり、本発明における第１床レベル領域に相当している。ステージリビング２０と基準床レベル領域との床レベルの高さの差は限定されないが、２０〜４０ｃｍ程度の段差が生じることが好ましい。また、ステージリビング２０の上方は吹き抜け天井として２階まで空間が連続していることが好ましい。
【００３１】
階段２１は、ステージリビング２０内に設けられて、１階と２階の間を移動可能にする階段である。ステップ２２は、ピットリビング１９の入り口に設けられた段差であり、基準床レベル領域から第２床レベル領域を接続している。ステップ２３ａ，２３ｂは、ステージリビング２０の両側に設けられた段差であり、基準床レベル領域から第１床レベル領域を接続している。また、ステップ２２とステップ２３ａの間には、居室１１の基準床レベル領域が通路として配置されている。したがって、ステージリビング２０からピットリビング１９までの空間は連続しており、第１床レベル領域、ステップ２３ａ、基準床レベル領域、ステップ２２、第２床レベル領域の順に複数の段差が連続して配置されている。
【００３２】
図３は、本実施形態において居室１１から第２窓部１４ｂを介して第２中庭１３を視認した様子を模式的に示す図である。図３に示すように、居室１１からは第２窓部１４ｂを通して中間デッキ１６、島状デッキ１７、地表面１８および第２壁部１５ｂを見渡すことができる。ここで、中間デッキ１６は居室１１の基準床レベル領域と同じ高さで連続して形成されているため、居室１１内と中間デッキ１６とが連続した空間のように認識され、居室１１内と第２中庭１３との空間の連続性を高めている。
【００３３】
また、居室１１には上述したようにステージリビング２０が設けられており、ステージリビング２０の第１床レベル領域と、居室１１の基準床レベル領域との段差が生じている。また、中間デッキ１６と地表面１８との間にも段差が生じている。したがって、居室１１内からは地表面１８、中間デッキ１６、居室１１およびステージリビング２０の間で段差が連続して形成されており、第２中庭１３から居室１１内における空間の連続性と一体感を高めることができる。
【００３４】
また、島状デッキ１７を地表面１８よりも高い位置に設けていることで、居室１１から第２中庭１３を見渡した際に、地表面１８が中間デッキ１６よりも低いことが強調され、中間デッキ１６と地表面１８の高低差を強く印象付けることができる。
【００３５】
図４は、第２中庭１３における中間デッキ１６と島状デッキ１７の配置例を模式的に示す図である。図４に示すように、島状デッキ１７上にはテーブル２５等を配置してアウトドアダイニングを構成している。また、中間デッキ１６の一部は延長されて、地表面１８に隣接したテラスデッキ２６を構成している。テラスデッキ２６上にはソファ等の家具２７が配置され、上方にはテラス屋根２８が設けられてアウトドアリビングを構成している。
【００３６】
図４に示したように、本実施形態の住宅では中間デッキ１６、島状デッキ１７およびテラスデッキ２６が地表面１８よりも高い位置に形成されて、アウトドアダイニングやアウトドアリビングを構成している。これにより、屋外領域である第２中庭１３を居住空間の延長として利用可能になり、居室１１内との利用形態の差を小さくして一体感と開放感を高めることができる。
【００３７】
上述したように本実施形態の住宅では、第１床レベル領域であるステージリビングと基準床レベル領域である居室１１で段差が生じ、中間デッキ１６と地表面１８で段差が生じており、かつ基準床レベル領域と中間デッキ１６とが同じ高さで連続しているために、居室１１内での段差と第２中庭１３での段差に連続性が生じ、第２中庭１３と居室１１との一体感を高めて十分な開放感を得ることが可能となる。
【００３８】
（第２実施形態）
次に、本発明の第２実施形態について図５を用いて説明する。第１実施形態と重複する内容は説明を省略する。図５は、本実施形態においてピットリビング１９から第３窓部１９ａを介して第１中庭１２を視認した様子を模式的に示す図である。
【００３９】
図５に示すように、ピットリビング１９からは第３窓部１９ａを通して第１中庭１２と第１壁部１５ａを見渡すことができる。また、ピットリビング１９とステージリビング２０とはステップ２２、基準床レベル領域およびステップ２３ａを挟んで連続した空間を形成しており、ピットリビング１９内からはステージリビング２０および吹き抜け空間を見渡すことができる。
【００４０】
ここで、ピットリビング１９は第２床レベル領域として基準床レベル領域よりも低い床が形成されているため、ピットリビング１９から他の空間への視線は水平方向だけではなく、斜め上方に向けられることとなる。具体的には、第３窓部１９ａを介して第１中庭１２方向を見る場合には、第１壁部１５ａの高さよりも上方に視線が移動して、上空を視認可能となる。これにより、限られた敷地内であっても高さ方向への空間の広がりを認識しやすくなり、第１中庭１２とピットリビング１９との一体感を高めて十分な開放感を得ることができる。この際、ピットリビング１９の床を第１中庭１２の地表面１８よりも低くすることで、第３窓部１９ａを介して第１中庭１２の上空を視認しやすくなる。
【００４１】
また、ピットリビング１９からステージリビング２０方向を見る場合にも、第２床レベル領域から基準床レベル領域、第１床レベル領域と床レベルの低いほうから高いほうに視線が向けられる。これにより、居室１１内でも水平方向だけではなく斜め上方に視線が向けられ、高さ方向への空間の広がりを認識しやすくなり、開放感を高めることができる。この際、ステージリビング２０の上方を吹き抜け空間として２階まで連続させておくことで、斜め上方への視線の先を１階天井で遮ることがなく、開放感をより一層高めることができる。
【００４２】
上述したように本実施形態の住宅では、ステージリビング２０の床は基準床レベル領域よりも高く、ピットリビング１９の床は基準床レベル領域よりも低いため、居室１１内での視線方向を斜め上方に向けて開放感を高めることができる。また、ピットリビング１９とステージリビング２０は基準床レベル領域を挟んで連続した空間を形成しているため、相乗的に視線を斜め上方に向ける効果を高めて開放感を高めることができる。
【００４３】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【００４４】
１１…居室
１２…第１中庭
１３…第２中庭
１４ａ…第１窓部
１４ｂ…第２窓部
１５ａ…第１壁部
１５ｂ…第２壁部
１６…中間デッキ
１７…島状デッキ
１８…地表面
１９…ピットリビング
１９ａ…第３窓部
２０…ステージリビング
２１…階段
２２，２３ａ，２３ｂ…ステップ
２４…二階居室
２５…テーブル
２６…テラスデッキ
２７…家具
２８…テラス屋根
【図１】
2020117941.tif 000003
【図２】
2020117941.tif 000004
【図３】
2020117941.tif 000005
【図４】
2020117941.tif 000006
【図５】
2020117941.tif 000007